【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
被写体の光学像を受光して電荷を蓄積するタイミングがラインによって異なる撮像手段と、振れ量を検出する振れ検出手段とを有する撮影装置において、
前記振れ検出手段は、前記撮像手段が被写体の光学像を受光して電荷を蓄積する間に、複数にわたって前記撮影装置の振れ量を検出し、
前記撮像手段のラインごとに、前記振れ検出手段で検出された振れ量に応じて、蓄積された電荷を画像として出力する領域を設定することを特徴とする撮影装置。
【請求項２】
前記蓄積された電荷を画像として出力する領域を設定するために、前記撮像手段が蓄積された電荷を画像として出力する読み出し位置を設定することを特徴とする請求項１に記載の撮影装置。
【請求項３】
被写体の光学像を受光して電荷を蓄積するタイミングがラインによって異なる撮像手段と、振れ量を検出する振れ検出手段とを有する撮影装置において、
前記振れ検出手段は、前記撮像手段が被写体の光学像を受光して電荷を蓄積する間に、複数にわたって前記撮影装置の振れ量を検出し、
前記撮像手段のラインごとに、前記振れ検出手段で検出された振れ量に応じて、蓄積された電荷から得られる画像を拡大、あるいは、縮小して出力することを特徴とする撮影装置。
【請求項４】
被写体の光学像を受光して電荷を蓄積するタイミングがラインによって異なる撮像手段と、振れ量を検出する振れ検出手段とを有する撮影装置において、
前記振れ検出手段は、前記撮像手段が被写体の光学像を受光して電荷を蓄積する間に、複数にわたって前記撮影装置の振れ量を検出して加算し、
前記振れ検出手段で加算した結果に応じて、蓄積された電荷を画像として出力する前記撮像手段の領域を設定することを特徴とする撮影装置。
【請求項５】
被写体の光学像を受光して電荷を蓄積するタイミングがラインによって異なる撮像手段と、振れ量を検出する振れ検出手段とを有する撮影装置において、
前記振れ検出手段は、前記撮像手段が被写体の光学像を受光して電荷を蓄積する間に、複数にわたって前記撮影装置の振れ量を検出して加算し、
前記振れ検出手段で加算した結果に応じて、前記撮像手段に蓄積された電荷から得られる画像を拡大、あるいは、縮小して出力することを特徴とする撮影装置。
【請求項６】
被写体の光学像を受光して電荷を蓄積するタイミングがラインによって異なる撮像手段と、振れ量を検出する振れ検出手段とを有する撮影装置を用いた撮影制御方法において、
前記撮像手段が被写体の光学像を受光して電荷を蓄積する間に、前記振れ検出手段に複数にわたって前記撮影装置の振れ量を検出させ、
前記撮像手段のラインごとに、前記振れ検出手段で検出された振れ量に応じて、蓄積された電荷を画像として出力する領域を設定することを特徴とする撮影制御方法。
【請求項７】
前記蓄積された電荷を画像として出力する領域を設定するために、前記撮像手段が蓄積された電荷を画像として出力する読み出し位置を設定することを特徴とする請求項６に記載の撮影制御方法。
【請求項８】
被写体の光学像を受光して電荷を蓄積するタイミングがラインによって異なる撮像手段と、振れ量を検出する振れ検出手段とを有する撮影装置を用いた撮影制御方法において、
前記撮像手段が被写体の光学像を受光して電荷を蓄積する間に、前記振れ検出手段に複数にわたって前記撮影装置の振れ量を検出させ、
前記撮像手段のラインごとに、前記振れ検出手段で検出された振れ量に応じて、蓄積された電荷から得られる画像を拡大、あるいは、縮小して出力することを特徴とする撮影制御方法。
【請求項９】
被写体の光学像を受光して電荷を蓄積するタイミングがラインによって異なる撮像手段と、振れ量を検出する振れ検出手段とを有する撮影装置を用いた撮影制御方法において、
前記撮像手段が被写体の光学像を受光して電荷を蓄積する間に、前記振れ検出手段に複数にわたって前記撮影装置の振れ量を検出して加算させ、
前記振れ検出手段で加算した結果に応じて、蓄積された電荷を画像として出力する前記撮像手段の領域を設定することを特徴とする撮影制御方法。
【請求項１０】
被写体の光学像を受光して電荷を蓄積するタイミングがラインによって異なる撮像手段と、振れ量を検出する振れ検出手段とを有する撮影装置を用いた撮影制御方法において、
前記撮像手段が被写体の光学像を受光して電荷を蓄積する間に、前記振れ検出手段に複数にわたって前記撮影装置の振れ量を検出して加算させ、
前記振れ検出手段で加算した結果に応じて、前記撮像手段に蓄積された電荷から得られる画像を拡大、あるいは、縮小して出力することを特徴とする撮影制御方法。
【手続補正２】
【補正対象書類名】明細書
【補正対象項目名】発明の名称
【補正方法】変更
【補正の内容】
【発明の名称】撮影装置及び撮影制御方法
【手続補正３】
【補正対象書類名】明細書
【補正対象項目名】０００１
【補正方法】変更
【補正の内容】
【０００１】
本発明は、被写体の撮影を行う撮影装置、及び、当該撮影装置を用いた撮影制御方法に関するものである。
【手続補正４】
【補正対象書類名】明細書
【補正対象項目名】００３２
【補正方法】変更
【補正の内容】
【００３２】
本発明の撮影装置は、被写体の光学像を受光して電荷を蓄積するタイミングがラインによって異なる撮像手段と、振れ量を検出する振れ検出手段とを有する撮影装置において、前記振れ検出手段は、前記撮像手段が被写体の光学像を受光して電荷を蓄積する間に、複数にわたって前記撮影装置の振れ量を検出し、前記撮像手段のラインごとに、前記振れ検出手段で検出された振れ量に応じて、蓄積された電荷を画像として出力する領域を設定する。
本発明の撮影装置における他の態様は、被写体の光学像を受光して電荷を蓄積するタイミングがラインによって異なる撮像手段と、振れ量を検出する振れ検出手段とを有する撮影装置において、前記振れ検出手段は、前記撮像手段が被写体の光学像を受光して電荷を蓄積する間に、複数にわたって前記撮影装置の振れ量を検出し、前記撮像手段のラインごとに、前記振れ検出手段で検出された振れ量に応じて、蓄積された電荷から得られる画像を拡大、あるいは、縮小して出力する。
また、本発明の撮影装置におけるその他の態様は、被写体の光学像を受光して電荷を蓄積するタイミングがラインによって異なる撮像手段と、振れ量を検出する振れ検出手段とを有する撮影装置において、前記振れ検出手段は、前記撮像手段が被写体の光学像を受光して電荷を蓄積する間に、複数にわたって前記撮影装置の振れ量を検出して加算し、前記振れ検出手段で加算した結果に応じて、蓄積された電荷を画像として出力する前記撮像手段の領域を設定する。
また、本発明の撮影装置におけるその他の態様は、被写体の光学像を受光して電荷を蓄積するタイミングがラインによって異なる撮像手段と、振れ量を検出する振れ検出手段とを有する撮影装置において、前記振れ検出手段は、前記撮像手段が被写体の光学像を受光して電荷を蓄積する間に、複数にわたって前記撮影装置の振れ量を検出して加算し、前記振れ検出手段で加算した結果に応じて、前記撮像手段に蓄積された電荷から得られる画像を拡大、あるいは、縮小して出力する。
【手続補正５】
【補正対象書類名】明細書
【補正対象項目名】００３３
【補正方法】変更
【補正の内容】
【００３３】
本発明の撮影制御方法は、被写体の光学像を受光して電荷を蓄積するタイミングがラインによって異なる撮像手段と、振れ量を検出する振れ検出手段とを有する撮影装置を用いた撮影制御方法において、前記撮像手段が被写体の光学像を受光して電荷を蓄積する間に、前記振れ検出手段に複数にわたって前記撮影装置の振れ量を検出させ、前記撮像手段のラインごとに、前記振れ検出手段で検出された振れ量に応じて、蓄積された電荷を画像として出力する領域を設定する。
本発明の撮影制御方法における他の態様は、被写体の光学像を受光して電荷を蓄積するタイミングがラインによって異なる撮像手段と、振れ量を検出する振れ検出手段とを有する撮影装置を用いた撮影制御方法において、前記撮像手段が被写体の光学像を受光して電荷を蓄積する間に、前記振れ検出手段に複数にわたって前記撮影装置の振れ量を検出させ、前記撮像手段のラインごとに、前記振れ検出手段で検出された振れ量に応じて、蓄積された電荷から得られる画像を拡大、あるいは、縮小して出力する。
また、本発明の撮影制御方法におけるその他の態様は、被写体の光学像を受光して電荷を蓄積するタイミングがラインによって異なる撮像手段と、振れ量を検出する振れ検出手段とを有する撮影装置を用いた撮影制御方法において、前記撮像手段が被写体の光学像を受光して電荷を蓄積する間に、前記振れ検出手段に複数にわたって前記撮影装置の振れ量を検出して加算させ、前記振れ検出手段で加算した結果に応じて、蓄積された電荷を画像として出力する前記撮像手段の領域を設定する。
また、本発明の撮影制御方法におけるその他の態様は、被写体の光学像を受光して電荷を蓄積するタイミングがラインによって異なる撮像手段と、振れ量を検出する振れ検出手段とを有する撮影装置を用いた撮影制御方法において、前記撮像手段が被写体の光学像を受光して電荷を蓄積する間に、前記振れ検出手段に複数にわたって前記撮影装置の振れ量を検出して加算させ、前記振れ検出手段で加算した結果に応じて、前記撮像手段に蓄積された電荷から得られる画像を拡大、あるいは、縮小して出力する。
【手続補正６】
【補正対象書類名】明細書
【補正対象項目名】００４５
【補正方法】変更
【補正の内容】
【００４５】
続いて、レリーズボタン（不図示）が全押しされると、全体制御・演算部１１５は、測光装置１１３の測光値に基づいてレンズ駆動装置１０２を制御し、レンズ１０１の光学系の絞りを調整させる。また、全体制御・演算部１１５は、測光装置１１３の測光値に基づいて、ミラー駆動装置１０６を制御してミラー１０３を上げるとともに、シャッタ駆動装置１０６を制御してシャッタ１０５を開く。